(57)【要約】  本発明の実施例は通信性能を向上させることができる通信方法、ネットワーク装置とＵＥを提供する。前記方法はＵＥが処理時間情報を生成し、前記処理時間情報が前記ＵＥにサポートされるＵＥ処理時間を示すことに用いられることと、前記ＵＥがネットワーク装置へ前記処理時間情報を送信することとを含む。
2019526957.tif 000002
【特許請求の範囲】
【請求項１】
通信方法であって、
ユーザ装置（ＵＥ）が処理時間情報を生成し、前記処理時間情報が前記ＵＥにサポートされるＵＥ処理時間を示すことに用いられることと、
前記ＵＥがネットワーク装置へ前記処理時間情報を送信することとを含む、前記通信方法。
【請求項２】
前記処理時間情報は前記ＵＥにサポートされる最小ＵＥ処理時間を含むことを特徴とする
請求項１に記載の通信方法。
【請求項３】
前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報は前記ＵＥにサポートされる少なくとも一つのＵＥ処理時間レベルを含むことを特徴とする
請求項１又は２に記載の通信方法。
【請求項４】
前記処理時間情報は前記ＵＥにサポートされる最小ＵＥ処理時間に対応するＵＥ処理時間レベルを含むことを特徴とする
請求項３に記載の通信方法。
【請求項５】
前記通信方法はさらに、
前記ＵＥが前記ネットワーク装置から送信された通知情報を受信し、前記通知情報が少なくとも一つのＵＥ処理時間レベルと少なくとも一つのＵＥ処理時間範囲との対応関係を示すことに用いられることを含むことを特徴とする
請求項３又は４に記載の通信方法。
【請求項６】
前記ＵＥが処理時間情報を生成する前に、前記通信方法はさらに、
前記ＵＥが前記ネットワーク装置から指示メッセージを受信し、前記指示メッセージが前記ＵＥにサポートされるＵＥ処理時間を報告するように前記ＵＥに指示することに用いられることを含むことを特徴とする
請求項１−５のいずれか一項に記載の通信方法。
【請求項７】
前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間であることを特徴とする
請求項１に記載の通信方法。
【請求項８】
前記ＵＥが処理時間情報を生成する前に、前記通信方法はさらに、
前記ＵＥが前記ネットワーク装置から指示メッセージを受信し、前記指示メッセージが第一の情報を含み、前記第一の情報が前記ターゲットパラメータに対応するＵＥ処理時間を報告するように前記ＵＥに指示することに用いられることを含むことを特徴とする
請求項７に記載の通信方法。
【請求項９】
前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含むことを特徴とする
請求項７又は８に記載の通信方法。
【請求項１０】
前記指示メッセージは第二の情報を含み、前記第二の情報が最高ＵＥカテゴリ以下のＵＥカテゴリに対応するＵＥ処理時間を報告するように前記ＵＥに指示することに用いられ、
前記ＵＥが処理時間情報を生成することは、
前記ＵＥが前記ＵＥにサポートされるＵＥカテゴリから前記最高ＵＥカテゴリ以下のＵＥカテゴリを確定することと、
前記ＵＥが前記最高ＵＥカテゴリ以下の前記ＵＥカテゴリを前記ターゲットＵＥカテゴリとして確定することと、
前記ＵＥが前記ターゲットＵＥカテゴリに対応するＵＥ処理時間に基づき、前記処理時間情報を生成することとを含むことを特徴とする
請求項８又は９に記載の通信方法。
【請求項１１】
前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含むことを特徴とする
請求項７−１０のいずれか一項に記載の通信方法。
【請求項１２】
前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含むことを特徴とする
請求項７−１１のいずれか一項に記載の通信方法。
【請求項１３】
通信方法であって、
ネットワーク装置がユーザ装置（ＵＥ）へ指示メッセージを送信し、前記指示メッセージが前記ＵＥにサポートされるＵＥ処理時間を報告するように前記ＵＥに指示することに用いられることと、
前記ネットワーク装置が前記ＵＥから処理時間情報を受信し、前記処理時間情報が前記ＵＥにサポートされるＵＥ処理時間を示すことに用いられることを含む、前記通信方法。
【請求項１４】
前記処理時間情報は前記ＵＥにサポートされる最小ＵＥ処理時間を含むことを特徴とする
請求項１３に記載の通信方法。
【請求項１５】
前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報が前記ＵＥにサポートされる少なくとも一つのＵＥ処理時間レベルを含むことを特徴とする
請求項１３又は１４に記載の通信方法。
【請求項１６】
前記処理時間情報は前記ＵＥにサポートされる最小ＵＥ処理時間に対応するＵＥ処理時間レベルを含むことを特徴とする
請求項１５に記載の通信方法。
【請求項１７】
前記通信方法はさらに、
前記ネットワーク装置が前記ＵＥへ通知情報を送信し、前記通知情報が少なくとも一つのＵＥ処理時間レベルと少なくとも一つのＵＥ処理時間範囲との対応関係を示すことに用いられることを含むことを特徴とする
請求項１５又は１６に記載の通信方法。
【請求項１８】
前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間であることを特徴とする
請求項１３に記載の通信方法。
【請求項１９】
前記指示メッセージは第一の情報を含み、前記第一の情報が前記ターゲットパラメータに対応するＵＥ処理時間を報告するように前記ＵＥに指示することに用いられることを特徴とする
請求項１８に記載の通信方法。
【請求項２０】
前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含むことを特徴とする
請求項１８又は１９に記載の通信方法。
【請求項２１】
前記指示メッセージは第二の情報を含み、前記第二の情報が最高ＵＥカテゴリ以下のＵＥカテゴリに対応するＵＥ処理時間を報告するように前記ＵＥに指示することに用いられることを特徴とする
請求項１８−２０のいずれか一項に記載の通信方法。
【請求項２２】
前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含むことを特徴とする
請求項１８−２１のいずれか一項に記載の通信方法。
【請求項２３】
前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含むことを特徴とする
請求項１８−２２のいずれか一項に記載の通信方法。
【請求項２４】
ＵＥであって、
処理時間情報を生成するように構成され、前記処理時間情報が前記ＵＥにサポートされるＵＥ処理時間を示すことに用いられる生成モジュールと、
ネットワーク装置へ前記処理時間情報を送信するように構成される送信モジュールとを備える、前記ＵＥ。
【請求項２５】
前記処理時間情報は前記ＵＥにサポートされる最小ＵＥ処理時間を含むことを特徴とする
請求項２４に記載のＵＥ。
【請求項２６】
前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報は前記ＵＥにサポートされる少なくとも一つのＵＥ処理時間レベルを含むことを特徴とする
請求項２４又は２５に記載のＵＥ。
【請求項２７】
前記処理時間情報は前記ＵＥにサポートされる最小ＵＥ処理時間に対応するＵＥ処理時間レベルを含むことを特徴とする
請求項２６に記載のＵＥ。
【請求項２８】
前記ＵＥはさらに、前記ネットワーク装置から送信された通知情報を受信するように構成され、前記通知情報が少なくとも一つのＵＥ処理時間レベルと少なくとも一つのＵＥ処理時間範囲との対応関係を示すことに用いられる受信モジュールを備えることを特徴とする
請求項２６又は２７に記載のＵＥ。
【請求項２９】
前記ＵＥはさらに、前記生成モジュールが処理時間情報を生成する前に、前記ネットワーク装置から指示メッセージを受信するように構成され、前記指示メッセージが前記ＵＥにサポートされるＵＥ処理時間を報告するように前記ＵＥに指示することに用いられる受信モジュールを備えることを特徴とする
請求項２４〜２８のいずれか一項に記載のＵＥ。
【請求項３０】
前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間であることを特徴とする
請求項２４に記載のＵＥ。
【請求項３１】
前記ＵＥはさらに、前記生成モジュールが処理時間情報を生成する前に、前記ネットワーク装置から指示メッセージを受信するように構成され、前記指示メッセージが第一の情報を含み、前記第一の情報が前記ターゲットパラメータに対応するＵＥ処理時間を報告するように前記ＵＥに指示することに用いられる受信モジュールを備えることを特徴とする
請求項３０に記載のＵＥ。
【請求項３２】
前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含むことを特徴とする
請求項３０又は３１に記載のＵＥ。
【請求項３３】
前記指示メッセージは第二の情報を含み、前記第二の情報が最高ＵＥカテゴリ以下のＵＥカテゴリに対応するＵＥ処理時間を報告するように前記ＵＥに指示することに用いられ、前記生成モジュールは具体的に前記ＵＥにサポートされるＵＥカテゴリから前記最高ＵＥカテゴリ以下のＵＥカテゴリを確定し、前記最高ＵＥカテゴリ以下の前記ＵＥカテゴリを前記ターゲットＵＥカテゴリとして確定し、前記ターゲットＵＥカテゴリに対応するＵＥ処理時間に基づき、前記処理時間情報を生成するように構成されることを特徴とする
請求項３１又は３２に記載のＵＥ。
【請求項３４】
前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含むことを特徴とする
請求項３０−３３のいずれか一項に記載のＵＥ。
【請求項３５】
前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含むことを特徴とする
請求項３０−３４のいずれか一項に記載のＵＥ。
【請求項３６】
ネットワーク装置であって、
ＵＥへ指示メッセージを送信するように構成され、前記指示メッセージが前記ＵＥにサポートされるＵＥ処理時間を報告するように前記ＵＥに指示することに用いられる送信モジュールと、
前記ＵＥから処理時間情報を受信するように構成され、前記処理時間情報が前記ＵＥにサポートされるＵＥ処理時間を示すことに用いられる受信モジュールとを備える、前記ネットワーク装置。
【請求項３７】
前記処理時間情報は前記ＵＥにサポートされる最小ＵＥ処理時間を含むことを特徴とする
請求項３６に記載のネットワーク装置。
【請求項３８】
前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報が前記ＵＥにサポートされる少なくとも一つのＵＥ処理時間レベルを含むことを特徴とする
請求項３６又は３７に記載のネットワーク装置。
【請求項３９】
前記処理時間情報は前記ＵＥにサポートされる最小ＵＥ処理時間に対応するＵＥ処理時間レベルを含むことを特徴とする
請求項３８に記載のネットワーク装置。
【請求項４０】
前記送信モジュールはさらに前記ネットワーク装置が前記ＵＥへ通知情報を送信するように構成され、前記通知情報が少なくとも一つのＵＥ処理時間レベルと少なくとも一つのＵＥ処理時間範囲との対応関係を示すことに用いられることを特徴とする
請求項３８又は３９に記載のネットワーク装置。
【請求項４１】
前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間であることを特徴とする
請求項３６に記載のネットワーク装置。
【請求項４２】
前記指示メッセージは第一の情報を含み、前記第一の情報が前記ターゲットパラメータに対応するＵＥ処理時間を報告するように前記ＵＥに指示することに用いられることを特徴とする
請求項４１に記載のネットワーク装置。
【請求項４３】
前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含むことを特徴とする
請求項４１又は４２に記載のネットワーク装置。
【請求項４４】
前記指示メッセージは第二の情報を含み、前記第二の情報が最高ＵＥカテゴリ以下のＵＥカテゴリに対応するＵＥ処理時間を報告するように前記ＵＥに指示することに用いられることを特徴とする
請求項４１〜４３のいずれか一項に記載のネットワーク装置。
【請求項４５】
前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含むことを特徴とする
請求項４１〜４４のいずれか一項に記載のネットワーク装置。
【請求項４６】
前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含むことを特徴とする
請求項４１〜４５のいずれか一項に記載のネットワーク装置。
【発明の詳細な説明】
【関連出願の参照】
【０００１】
本出願は２０１６年７月１４日に中国特許庁に提出された発明の名称が「通信方法、基地局とユーザ装置」である出願番号ＰＣＴ／ＣＮ２０１６／０９００２４の先行出願優先権を主張し、上記先行出願の内容は参照により本明細書に組み込まれる。
【技術分野】
【０００２】
本発明は通信分野に関し、特に通信方法、ネットワーク装置とユーザ装置（ＵＥ：Ｕｓｅｒ  Ｅｑｕｉｐｍｅｎｔ）に関する。
【背景技術】
【０００３】
従来の移動通信システムでは、基地局がＵＥにアップリンクリソースを割り当てた後、ＵＥは一定の処理時間を経て、該アップリンクリソースを使用してデータを送信する必要がある。例えば、長期進化型（ＬＴＥ：Ｌｏｎｇ  Ｔｅｒｍ  Ｅｖｏｌｕｔｉｏｎ）システムでは、基地局はサブフレーム時点ｎにおいてＵＥにアップリンクリソースを割り当て、ＵＥはサブフレームｎ＋４において、割り当てられたアップリンクリソースを使用してアップリンクデータの伝送を行う。ＬＴＥシステムでは、一つのサブフレームの持続時間が１ｍｓであるので、ＬＴＥシステムにおけるＵＥの処理時間（ｐｒｏｃｅｓｓｉｎｇ  ｔｉｍｅ）は３ｍｓである。言い換えば、ＵＥがデータを送信するために必要な処理時間は３ｍｓ以下ではならない。ＬＴＥシステムでは、アップリンクスケジューリングの時間がｎ＋４の方式を使用するだけでなく、アップリンク再送準備時間もｎ＋４の方式を使用する。したがって、システムのスケジューリング時間シーケンスはＵＥの処理時間に密に関連する。従来技術では、ＵＥの処理時間が一般的に一つの固定値（例えば３ｍｓ）であると見なし、そしてこれに基づいてシステムスケジューリングを行う。
【０００４】
通信技術の発展に伴い、例えば第５世代（５Ｇ：５ｔｈ  Ｇｅｎｅｒａｔｉｏｎ）システムにおいて、異なるＵＥの基礎パラメータセット（即ちｎｕｍｅｒｏｌｏｇｙ）が異なる可能性があり、異なるＵＥにサポートされる最高ＵＥカテゴリ（ｃａｔｅｇｏｒｙ）が異なる可能性があり、異なるＵＥ自体の処理能力も異なる可能性があり、上記の状況により異なるＵＥ間のＵＥの処理時間が異なり、又は異なる配置における同一のＵＥのＵＥ処理時間が異なり、さらにシステムスケジューリングに影響を与える可能性がある。
【発明の概要】
【発明が解決しようとする課題】
【０００５】
本発明は通信性能を向上させるための通信方法、ネットワーク装置とＵＥを提供する。
【課題を解決するための手段】
【０００６】
第一の態様による通信方法は、ユーザ装置（ＵＥ）が処理時間情報を生成し、前記処理時間情報が前記ＵＥにサポートされるＵＥ処理時間を示すことに用いられることと、前記ＵＥがネットワーク装置へ前記処理時間情報を送信することとを含む。
【０００７】
本発明の実施例では、ＵＥはネットワーク装置へ処理時間情報を報告し、該処理時間情報がＵＥにサポートされるＵＥ処理時間を示すことができ、ネットワーク装置が該処理時間情報に基づき、システムに対してスケジューリング又は他の操作を行うようにし、それによって通信性能を向上させる。
【０００８】
第一の態様と組み合わせ、第一の態様の第一の可能な実施形態では、前記処理時間情報は前記ＵＥにサポートされる最小ＵＥ処理時間を含む。
【０００９】
第一の態様又は第一の態様の第一の可能な実施形態と組み合わせ、第一の態様の第二の可能な実施形態では、前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報は前記ＵＥにサポートされる少なくとも一つのＵＥ処理時間レベルを含む。
【００１０】
第一の態様の第二の可能な実施形態と組み合わせ、第一の態様の第三の可能な実施形態では、前記処理時間情報は前記ＵＥにサポートされる最小ＵＥ処理時間に対応するＵＥ処理時間レベルを含む。
【００１１】
第一の態様の第二又は第三の可能な実施形態と組み合わせ、第一の態様の第四の可能な実施形態では、前記通信方法はさらに前記ＵＥが前記ネットワーク装置から送信された通知情報を受信し、前記通知情報が少なくとも一つのＵＥ処理時間レベルと少なくとも一つのＵＥ処理時間範囲との対応関係を示すことに用いられることを含む。
【００１２】
上記のいずれかの可能な実施形態と組み合わせ、第一の態様の第五の可能な実施形態では、前記ＵＥが処理時間情報を生成する前に、前記通信方法はさらに前記ＵＥが前記ネットワーク装置から指示メッセージを受信し、前記指示メッセージが前記ＵＥにサポートされるＵＥ処理時間を報告するように前記ＵＥに指示することに用いられることを含む。
【００１３】
第一の態様と組み合わせ、第一の態様の第六の可能な実施形態では、前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間である。
【００１４】
本発明の実施例では、ＵＥはネットワーク装置へ処理時間情報を報告し、該処理時間情報がＵＥにサポートされるターゲットパラメータに対応するＵＥ処理時間を示すことができ、ネットワーク装置が該処理時間情報に基づき、システムに対してスケジューリング又は他の操作を行うようにし、それによって通信性能を向上させる。
【００１５】
第一の態様の第六の可能な実施形態と組み合わせ、第一の態様の第七の可能な実施形態では、前記ＵＥが処理時間情報を生成する前に、前記通信方法はさらに前記ＵＥが前記ネットワーク装置から指示メッセージを受信し、前記指示メッセージが第一の情報を含み、前記第一の情報が前記ターゲットパラメータに対応するＵＥ処理時間を報告するように前記ＵＥに指示することに用いられることを含む。
【００１６】
第一の態様の第六又は第七の可能な実施形態と組み合わせ、第一の態様の第八の可能な実施形態では、前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含む。
【００１７】
第一の態様の第七又は第八の可能な実施形態と組み合わせ、第一の態様の第九の可能な実施形態では、前記指示メッセージは第二の情報を含み、前記第二の情報が最高ＵＥカテゴリ以下のＵＥカテゴリに対応するＵＥ処理時間を報告するように前記ＵＥに指示することに用いられ、前記ＵＥが処理時間情報を生成することは、前記ＵＥが前記ＵＥにサポートされるＵＥカテゴリから前記最高ＵＥカテゴリ以下のＵＥカテゴリを確定することと、前記ＵＥが前記最高ＵＥカテゴリ以下の前記ＵＥカテゴリを前記ターゲットＵＥカテゴリとして確定することと、前記ＵＥが前記ターゲットＵＥカテゴリに対応するＵＥ処理時間に基づき、前記処理時間情報を生成することとを含む。
【００１８】
第一の態様の第六〜第九の可能な実施形態のいずれかの可能な実施形態と組み合わせ、第一の態様の第十の可能な実施形態では、前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含む。
【００１９】
第一の態様の第六〜第十の可能な実施形態のいずれかの可能な実施形態と組み合わせ、第一の態様の第十一の可能な実施形態では、前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含む。
【００２０】
第二の態様による通信方法は、ネットワーク装置がユーザ装置（ＵＥ）へ指示メッセージを送信し、前記指示メッセージが前記ＵＥにサポートされるＵＥ処理時間を報告するように前記ＵＥに指示することに用いられることと、前記ネットワーク装置が前記ＵＥから処理時間情報を受信し、前記処理時間情報が前記ＵＥにサポートされるＵＥ処理時間を示すことに用いられることを含む。
【００２１】
本発明の実施例では、ネットワーク装置は処理時間情報を報告するようにＵＥに指示し、該処理時間情報がＵＥにサポートされるＵＥ処理時間を示すことができ、ネットワーク装置が該処理時間情報に基づき、システムに対してスケジューリング又は他の操作を行うようにし、それによって通信性能を向上させる。
【００２２】
第二の態様と組み合わせ、第二の態様の第一の可能な実施形態では、前記処理時間情報は前記ＵＥにサポートされる最小ＵＥ処理時間を含む。
【００２３】
第二の態様又は第二の態様の第一の可能な実施形態と組み合わせ、第二の態様の第二の可能な実施形態では、前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報が前記ＵＥにサポートされる少なくとも一つのＵＥ処理時間レベルを含む。
【００２４】
第二の態様の第二の可能な実施形態と組み合わせ、第二の態様の第三の可能な実施形態では、前記処理時間情報は前記ＵＥにサポートされる最小ＵＥ処理時間に対応するＵＥ処理時間レベルを含む。
【００２５】
第二の態様の第二又は第三の可能な実施形態と組み合わせ、第二の態様の第四の可能な実施形態では、前記通信方法はさらに前記ネットワーク装置が前記ＵＥへ通知情報を送信し、前記通知情報が少なくとも一つのＵＥ処理時間レベルと少なくとも一つのＵＥ処理時間範囲との対応関係を示すことに用いられることを含む。
【００２６】
第二の態様と組み合わせ、第二の態様の第五の可能な実施形態では、前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間である。
【００２７】
本発明の実施例では、ネットワーク装置は処理時間情報を報告するようにＵＥに指示し、該処理時間情報がＵＥにサポートされるターゲットパラメータに対応するＵＥ処理時間を示すことができ、ネットワーク装置が該処理時間情報に基づき、システムに対してスケジューリング又は他の操作を行うようにし、それによって通信性能を向上させる。
【００２８】
第二の態様の第五の可能な実施形態と組み合わせ、第二の態様の第六の可能な実施形態では、前記指示メッセージは第一の情報を含み、前記第一の情報が前記ターゲットパラメータに対応するＵＥ処理時間を報告するように前記ＵＥに指示することに用いられる。
【００２９】
第二の態様の第五又は第六の可能な実施形態と組み合わせ、第二の態様の第七の実施形態では、前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含む。
【００３０】
第二の態様の第五〜第七の可能な実施形態のいずれかの可能な実施形態と組み合わせ、第二の態様の第八の実施形態では、前記指示メッセージは第二の情報を含み、前記第二の情報が最高ＵＥカテゴリ以下のＵＥカテゴリに対応するＵＥ処理時間を報告するように前記ＵＥに指示することに用いられる。
【００３１】
第二の態様の第五〜第八の可能な実施形態のいずれかの可能な実施形態と組み合わせ、第二の態様の第九の実施形態では、前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含む。
【００３２】
第二の態様の第五〜第八の可能な実施形態のいずれかの可能な実施形態と組み合わせ、第二の態様の第十の実施形態では、前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含む。
【００３３】
第三の態様によるＵＥは、処理時間情報を生成するように構成され、前記処理時間情報が前記ＵＥにサポートされるＵＥ処理時間を示すことに用いられる生成モジュールと、ネットワーク装置へ前記処理時間情報を送信するように構成される送信モジュールとを備える。
【００３４】
第四の態様によるネットワーク装置は、ユーザ装置（ＵＥ）へ指示メッセージを送信するように構成され、前記指示メッセージが前記ＵＥにサポートされるＵＥ処理時間を報告するように前記ＵＥに指示することに用いられる送信モジュールと、前記ＵＥから処理時間情報を受信するように構成され、前記処理時間情報が前記ＵＥにサポートされるＵＥ処理時間を示すことに用いられる受信モジュールとを備える。
【００３５】
第五の態様によるＵＥは、プログラムを記憶するように構成されるメモリと、他の装置と通信を行うように構成される送受信機と、メモリにおけるプログラムを実行するように構成されるプロセッサとを備え、前記プログラムが実行される場合、前記プロセッサは処理時間情報を生成するように構成され、前記処理時間情報が前記ＵＥにサポートされるＵＥ処理時間を示すことに用いられ、及び前記送受信機を介してネットワーク装置へ前記処理時間情報を送信するように構成される。
【００３６】
第六の態様によるネットワーク装置は、プログラムを記憶するように構成されるメモリと、他の装置と通信を行うように構成される送受信機と、メモリにおけるプログラムを実行するように構成されるプロセッサとを備え、前記プログラムが実行される場合、前記プロセッサは前記送受信機を介してＵＥへ指示メッセージを送信するように構成され、前記指示メッセージが前記ＵＥにサポートされるＵＥ処理時間を報告するようにＵＥに指示することに用いられ、及び前記送受信機を介して前記ＵＥから処理時間情報を受信するように構成され、前記処理時間情報が前記ＵＥにサポートされるＵＥ処理時間を示すことに用いられる。
【００３７】
第七の態様によるコンピュータチップは入力インタフェース、出力インタフェース、少なくとも一つのプロセッサ、メモリを備え、前記プロセッサが前記メモリにおけるコードを実行するように構成され、前記コードが実行される場合、前記プロセッサが上記の第一の態様及び様々な実施形態における通信方法のＵＥによって実行される各プロセスを実施することができる。
【００３８】
第八の態様によるコンピュータチップは入力インタフェース、出力インタフェース、少なくとも一つのプロセッサ、メモリを備え、前記プロセッサが前記メモリにおけるコードを実行するように構成され、前記コードが実行される場合、前記プロセッサが上記の第二の態様及び様々な実施形態における通信方法のネットワーク装置によって実行される各プロセスを実施することができる。
【００３９】
第九の態様によるコンピュータ可読記憶媒体は、ＵＥに上記の第一の態様、及びその様々な実施形態のいずれかの通信方法を実行させるためのプログラムを記憶する。
【００４０】
第十の態様によるコンピュータ可読記憶媒体は、ネットワーク装置に上記の第二の態様、及びその様々な実施形態のいずれかの通信方法を実行させるためのプログラムを記憶する。
【図面の簡単な説明】
【００４１】
【図１】本発明の実施例の応用シーンの概略図である。
【図２】本発明の実施例による通信方法の概略図である。
【図３】本発明の他の実施例による通信方法の概略図である。
【図４】本発明の実施例によるＵＥの概略構造図である。
【図５】本発明の実施例によるネットワーク装置の概略構造図である。
【図６】本発明の他の実施例によるＵＥの概略構造図である。
【図７】本発明の他の実施例によるネットワーク装置の概略構造図である。
【発明を実施するための形態】
【００４２】
本発明の実施例の技術的解決策をより明確に説明するために、以下に本発明の実施例の説明に必要な図面を簡単に説明し、明らかに、以下に記載される図面は本出願のいくつかの実施例に過ぎず、当業者であれば、創造的な労力を要することなく、これらの図面に基づいて他の図面を得ることができる。
【００４３】
以下に本出願の実施例の図面を組み合わせながら、本出願の実施例における技術的解決策を明確に全面的に説明し、明らかに、説明される実施例は本出願の一部の実施例に過ぎず、全ての実施例ではない。本発明の実施例に基づき、当業者が創造的な労力を要せずに得た他の実施例は、全て本発明の保護範囲に属する。
【００４４】
理解すべきものとして、本発明の実施例の技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ  Ｓｙｓｔｅｍ：「ＴＤＤ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）又はグローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム、５Ｇシステム、又は新しい無線（ＮＲ：Ｎｅｗ  Ｒａｄｉｏ）システムに応用されてもよい。
【００４５】
本発明の実施例では、用語「ネットワーク」及び「システム」は常に交換可能に使用されるが、当業者はその意味を理解することができる。本発明の実施例に係るＵＥは無線通信機能を有する様々なハンドヘルドデバイス、車載デバイス、ウェアラブルデバイス、コンピューティングデバイス又は無線モデムに接続された他の処理装置、及び様々な形態のユーザ装置（ＵＥ：Ｕｓｅｒ  Ｅｑｕｉｐｍｅｎｔ）、移動局（ＭＳ：Ｍｏｂｉｌｅ  Ｓｔａｔｉｏｎ）、端末（ｔｅｒｍｉｎａｌ）、端末装置（ｔｅｒｍｉｎａｌ  ｄｅｖｉｃｅ）などを含むことができる。説明を容易にするために、本発明の実施例では、以上に記載された装置はＵＥと総称される。
【００４６】
本発明の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  Ｎｏｄｅ  Ｂ）であってもよいし、クラウドワイヤレスアクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本発明の実施例はこれに限定されない。
【００４７】
図１は本発明の実施例の応用シーンの概略図である。図１に示すように、該応用シーンはネットワーク装置とＵＥを含むことができ、ここで、ネットワーク装置とＵＥは無線リンクを介して通信することができる。
【００４８】
通信性能を向上させるために、本発明は通信方法、ネットワーク装置とＵＥを提供する。それはネットワーク装置へＵＥにサポートされるＵＥ処理時間を送信することができ、ネットワーク装置が報告されたＵＥ処理時間に基づいてシステムスケジューリング又は他の関連する操作を行うようにし、それによって通信性能を向上させることができる。
【００４９】
図２は本発明の実施例による通信方法２００の概略図であり、該方法２００がＵＥによって実行されてもよく、方法２００はＳ２０１〜Ｓ２０４を含む。
【００５０】
Ｓ２０１において、ＵＥは処理時間情報を生成し、前記処理時間情報が前記ＵＥにサポートされるＵＥ処理時間を示すことに用いられる。
【００５１】
ＵＥ処理時間はＵＥが通信中にデータを処理するために必要な時間を指すことができる。例えば、ＵＥ処理時間は、ＵＥがネットワーク装置からのアップリンクスケジューリング命令を受信した後に、アップリンクデータ送信を準備する時間を指してもよく、ＵＥ処理時間はＵＥがネットワーク装置からのダウンリンクスケジューリング指示を受信した後に、ダウンリンクデータの受信を完了させる（チャネル復号が完了する）時間を指すこともできる。
【００５２】
選択可能に、本発明の実施例では、ＵＥはＵＥにサポートされるＵＥ処理時間を直接報告することができ、ＵＥにサポートされるＵＥ処理時間に対応するレベルを報告することもできる。例えば、少なくとも一つのＵＥ処理時間レベルを定義することができ、該少なくとも一つのＵＥ処理時間レベルが少なくとも一つのＵＥ処理時間範囲と対応関係を有することができる。ＵＥはＵＥにサポートされるＵＥ処理時間が所在するＵＥ処理時間範囲に対応するＵＥ処理時間レベルを報告することができる。上記のＵＥ処理時間レベルに対する仕分け方は、ネットワーク装置がシグナリング（例えば専用シグナリング又はブロードキャストシグナリング）によってＵＥに通知することであってもよく、又は、ネットワーク装置はＵＥとプロトコルにおいてＵＥ処理時間レベルの仕分け方を予め定義することもできる。
【００５３】
選択可能に、ＵＥはＵＥにサポートされる最小ＵＥ処理時間を処理時間情報によって報告することができ、ＵＥにサポートされる少なくとも一つのＵＥ処理時間を報告することもできる。ＵＥはＵＥにサポートされる最小ＵＥ処理時間に対応するＵＥ処理時間レベルを処理時間情報によって報告することができ、ＵＥにサポートされる少なくとも一つのＵＥ処理時間レベルを報告することもでき、ここで、該最小ＵＥ処理時間に対応するＵＥ処理時間レベルは、最小ＵＥ処理時間が所在するＵＥ処理時間範囲に対応するＵＥ処理時間レベルを指すことができる。ＵＥがあるＵＥ処理時間レベルがサポートできる場合、ＵＥが該ＵＥ処理時間レベルよりも低いＵＥ処理時間レベルをサポートすることができることを当業者は理解することができる。
【００５４】
選択可能に、本発明の実施例では、ＵＥはＵＥにサポートされるターゲットパラメータに対応する処理時間に基づいて処理時間情報を報告することもでき、該ターゲットパラメータがターゲットＵＥカテゴリ、ターゲット基礎パラメータセット、ターゲット搬送波帯域幅のうちの少なくとも一つであり、ターゲットパラメータに対応する処理時間は該ターゲットパラメータを設定した場合の前記ＵＥがデータを処理するために必要な時間を指すことができる。
【００５５】
選択可能に、上記ターゲットパラメータはターゲットＵＥカテゴリ、ターゲット基礎パラメータセット、ターゲット搬送波帯域幅のいずれかの一つであってもよいし、上記パラメータの任意の組み合わせであってもよい。上記ターゲットＵＥカテゴリ、ターゲット基礎パラメータセット、ターゲット搬送波帯域幅はＵＥにサポートされる部分のＵＥカテゴリ、部分の基礎パラメータセット、部分の搬送波帯域幅であってもよいし、ＵＥにサポートされる全てのＵＥカテゴリ、全ての基礎パラメータセット、ターゲット搬送波帯域幅であってもよい。本発明の実施例はこれに限定されない。ＵＥはネットワーク装置へ処理時間情報を送信し、ネットワーク装置がターゲットパラメータに対応するＵＥ処理時間に基づいてＵＥをスケジューリングし、又はシステムをスケジューリングするようにし、又は、ＵＥ処理時間に基づいて他の関連する操作を行うことができるようにする。
【００５６】
選択可能に、上記ＵＥカテゴリはＵＥ  ｃａｔｅｇｏｒｙを指すことができる。説明すべきものとして、通信システムでは、ＵＥ  ｃａｔｅｇｏｒｙは、ＵＥがサポートできる最大アップリンク及びダウンリンク伝送レートを定義することに用いられてもよい。又はＵＥ  ｃａｔｅｇｏｒｙは、ＵＥの端末レート（レベル）を仕分けすることに用いられる。一つの所定のＵＥ  ｃａｔｅｇｏｒｙは一定の搬送波集約能力（ＣＡ：Ｃａｒｒｉｅｒ  Ａｇｇｒｅｇａｔｉｏｎ）、マルチアンテナ能力（ＭＩＭＯ：Ｍｕｌｔｉｐｌｅ−Ｉｎｐｕｔ  Ｍｕｌｔｉｐｌｅ−Ｏｕｔ）及び最高変調モード（例えば６４ＱＡＭ、２５６ＱＡＭ）と関連する。上記搬送波集約能力、マルチアンテナ能力と最高変調モードはいずれもＵＥの処理時間に影響する。したがって、異なるレベルのＵＥ  ｃａｔｅｇｏｒｙに対応するＵＥ処理時間は異なる。また、ＵＥ  ｃａｔｅｇｏｒｙが高いほど、それがサポートできる最大アップリンク及びダウンリンク伝送レートは高くなる。例えば、一つのＵＥの最高ＵＥ  ｃａｔｅｇｏｒｙがＮである場合、ＵＥ  ｃａｔｅｇｏｒｙ  １からＵＥ  ｃａｔｅｇｏｒｙ  Ｎまでの全てのレートをサポートすることができ、それがサポートできる最高レートはＵＥ  ｃａｔｅｇｏｒｙ  Ｎによって定められる。また、説明すべきものとして、ＵＥ  ｃａｔｅｇｏｒｙ  ０も３ＧＰＰ  Ｒｅｌ．１２の規格にも記載され、それはものインターネット専用のものであってもよく、マシンタイプ通信（ＭＴＣ：Ｍａｃｈｉｎｅ  Ｔｙｐｅ  Ｃｏｍｍｕｎｉｃａｔｉｏｎ）の最大アップリンク及びダウンリンク伝送レートを示すことに用いられる。
【００５７】
また、上記の搬送波集約能力、マルチアンテナ能力と最高変調モード以外、ＵＥ処理時間は多くの他の要因の影響を受ける。例えば、５Ｇに関する議論では、異なるＵＥに対応する基礎パラメータセットは異なってもよく、又は同一のＵＥは複数種類の基礎パラメータセットをサポートすることができ、異なる基礎パラメータセットもＵＥ処理時間に影響することもできる。ここで、基礎パラメータセットはｎｕｍｅｒｏｌｏｇｙとも呼ばれてもよく、それは通信システム（例えばセルラーシステム）の最も基礎のパラメータを指してもよい。例えば、ＬＴＥシステム又は５Ｇシステムに対して、ｎｕｍｅｒｏｌｏｇｙはシステムのサブ搬送波間隔（ｓｕｂｃａｒｒｉｅｒ  ｓｐａｃｉｎｇ）、シンボル幅（ｓｙｍｂｏｌ  ｄｕｒａｔｉｏｎ）などを含むことができる。サブ搬送波間隔とシンボル幅は処理時間に影響することもでき、言い換えば、ＵＥにサポートされる異なるｎｕｍｅｒｏｌｏｇｙに対して、同一のＵＥ  ｃａｔｅｇｏｒｙに対応するＵＥ処理時間も異なってもよい。
【００５８】
また、異なるＵＥにサポートされる搬送波帯域幅は異なってもよく、又は同一のＵＥが複数種類の搬送波帯域幅をサポートすることができ、ＵＥにサポートされる搬送波帯域幅は異なり、ＵＥ処理時間に影響することもできる。
【００５９】
Ｓ２０２において、前記ＵＥはネットワーク装置へ前記処理時間情報を送信する。
【００６０】
本発明の実施例では、ＵＥはネットワーク装置へ処理時間情報を報告し、該処理時間情報がＵＥにサポートされるＵＥ処理時間を示すことができ、ネットワーク装置が該処理時間情報に基づき、システムに対してスケジューリング又は他の操作を行うようにし、それによって通信性能を向上させる。
【００６１】
選択可能に、方法２００では、前記処理時間情報は前記ＵＥにサポートされる最小ＵＥ処理時間を含む。
【００６２】
本発明の実施例では、ＵＥはネットワーク装置へＵＥにサポートされる最小ＵＥ処理時間を直接報告することができ、ネットワーク装置が関連するスケジューリング又は他の操作を行うようにし、それによって通信性能を向上させる。
【００６３】
選択可能に、方法２００では、前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報が前記ＵＥにサポートされる少なくとも一つのＵＥ処理時間レベルを含む。
【００６４】
選択可能に、方法２００において、前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報が前記ＵＥにサポートされる最小ＵＥ処理時間に対応するＵＥ処理時間レベルを含む。
【００６５】
例えば、ＵＥの処理時間は３つのレベルに仕分けられてもよい：
レベル１：３ｍｓ及びそれ以上、
レベル２：０．５ｍｓ〜３ｍｓ、
レベル３：０．１ｍｓ〜０．５ｍｓ。
【００６６】
ＵＥがサポートできる最小ＵＥ処理時間が０．３ｍｓである場合、最小ＵＥ処理時間に対応するレベルは３である。これは、ＵＥがレベル１、レベル２、レベル３の３つのＵＥ処理時間レベルをサポートすることができることを示す。ＵＥは処理時間情報において、ＵＥがサポートできるＵＥ処理時間レベルがレベル１、レベル２とレベル３であることを示すことができる。又はＵＥは処理時間情報において、ＵＥにサポートされる最小ＵＥ処理時間に対応するＵＥ処理時間レベルがレベル３であることを示すこともできる。
【００６７】
選択可能に、ＵＥはネットワーク装置とＵＥ処理時間レベルの仕分け方をプロトコルによって予め設定することができ、又はネットワーク装置によってＵＥへＵＥ処理時間レベルの仕分け方を通知することもでき、例えば、方法２００では、ＵＥは前記ネットワーク装置から送信された通知情報を受信することができ、前記通知情報が少なくとも一つのＵＥ処理時間レベルと少なくとも一つのＵＥ処理時間範囲との対応関係を示すことに用いられる。選択可能に、前記通知情報は専用シグナリング又はブロードキャストシグナリングであってもよい。
【００６８】
選択可能に、ＵＥはネットワーク装置へ処理時間情報を能動的に報告することができ、例えば、ＵＥは、初めて基地局／ネットワークにアクセスする時にネットワーク装置へ処理時間情報を報告することができ、ＵＥはネットワーク装置がＵＥ処理時間を報告するようにＵＥに指示した後に処理時間情報を報告することもできる。
【００６９】
例えば、方法２００はさらにＳ２０３を含む。
【００７０】
Ｓ２０３において、前記ＵＥが処理時間情報を生成する前に、前記ＵＥは前記ネットワーク装置から指示メッセージを受信し、前記指示メッセージが前記ＵＥにサポートされるＵＥ処理時間を報告するように前記ＵＥに指示することに用いられる。
【００７１】
本発明の実施例では、ＵＥはネットワーク装置から送信された指示メッセージを受信することができ、該指示メッセージがサポートされるＵＥ処理時間を報告するようにＵＥに指示することに用いられ、それによって通信性能を向上させる。
【００７２】
さらに、指示メッセージはＵＥがＵＥ処理時間を報告する方式を示すことができ、例えば、該指示メッセージはＵＥにサポートされる最小ＵＥ処理時間を報告するようにＵＥに指示し、又は、ＵＥにサポートされる最小ＵＥ処理時間に対応するＵＥ処理時間レベルを報告するようにＵＥに指示し、又は、ＵＥにサポートされる少なくとも一つのＵＥ処理時間レベルを報告するようにＵＥに指示することができる。本発明の実施例はこれに限定されない。
【００７３】
選択可能に、ＵＥはＵＥにサポートされるターゲットパラメータに基づいてＵＥ処理時間を報告することもでき、例えば、方法２００では、ＵＥから報告される処理時間情報はさらにターゲットパラメータに対応するＵＥ処理時間を含むことができ、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間である。
【００７４】
本発明の実施例では、ＵＥはネットワーク装置へ処理時間情報を報告し、該処理時間情報がＵＥにサポートされるターゲットパラメータに対応するＵＥ処理時間を示すことができ、ネットワーク装置が該処理時間情報に基づき、システムに対してスケジューリング又は他の操作を行うようにし、それによって通信性能を向上させる。
【００７５】
選択可能に、方法２００はさらにＳ２０４を含む。
【００７６】
Ｓ２０４において、ＵＥが処理時間情報を生成する前に、前記ＵＥは前記ネットワーク装置から指示メッセージを受信し、前記指示メッセージが第一の情報を含み、前記第一の情報が前記ターゲットパラメータに対応するＵＥ処理時間を報告するように前記ＵＥに指示することに用いられる。
【００７７】
本発明の実施例では、ＵＥはネットワーク装置から送信された指示メッセージを受信することができ、該指示メッセージに含まれる第一の情報がターゲットパラメータに対応するＵＥ処理時間を報告するようにＵＥに指示することができ、それによって通信性能を向上させる。
【００７８】
選択可能に、上記指示メッセージはＵＥにサポートされるＵＥ処理時間を報告するようにＵＥに指示することに用いられることができる。
【００７９】
本発明の実施例では、ネットワーク装置はＵＥがＵＥ処理時間を報告する方式を指示メッセージによって設定することができ、又は、ネットワーク装置はどのターゲットパラメータ又はどのターゲットパラメータ組み合わせに対応するＵＥ処理時間を報告するかをＵＥに指示することができる。ＵＥは該指示メッセージに基づき、処理時間情報を生成し、そしてネットワーク装置へ該処理時間情報を送信することができる。
【００８０】
選択可能に、一つの実施例として、前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含む。
【００８１】
選択可能に、一つの実施例として、ネットワーク装置は指示メッセージにおいて、ＵＥから報告されたＵＥ  ｃａｔｅｇｏｒｙ、ｎｕｍｅｒｏｌｏｇｙ及び／又は搬送波帯域幅の範囲を示すことができる。例えば、ネットワーク装置は指示メッセージに、ＵＥ  ｃａｔｅｇｏｒｙ３、ＵＥ  ｃａｔｅｇｏｒｙ５及びＵＥ  ｃａｔｅｇｏｒｙ７を示すことができ、これによりＵＥはネットワーク装置へこの３つのＵＥ  ｃａｔｅｇｏｒｙに対応するＵＥ処理時間だけを処理時間情報によって報告すればよい。例えば、ネットワーク装置はＵＥのための一つのＵＥ  ｃａｔｅｇｏｒｙのリストを設定することができ、ＵＥは該リストに含まれるＵＥ  ｃａｔｅｇｏｒｙに対応するＵＥ処理時間のみを報告することができる。ネットワーク装置は該リストを上記指示メッセージによって送信することができる。理解すべきものとして、ＵＥ自体がサポートできる最高ＵＥ  ｃａｔｅｇｏｒｙが、ネットワーク装置によってＵＥに指定して報告される最高ＵＥ  ｃａｔｅｇｏｒｙを超えてもよいが、ネットワーク装置によってＵＥに指定して報告される最高ＵＥ  ｃａｔｅｇｏｒｙがＵＥ自体がサポートできる最高ＵＥ  ｃａｔｅｇｏｒｙを超える場合、ＵＥは自体がサポートできるＵＥ  ｃａｔｅｇｏｒｙに対応するＵＥ処理時間を報告するだけでよい。同様に、ＵＥ自体にサポートされるｎｕｍｅｒｏｌｏｇｙ又は搬送波帯域幅の範囲がネットワーク装置によってＵＥに指定して報告される範囲を超えてもよいが、ネットワーク装置によってＵＥに指定して報告されるｎｕｍｅｒｏｌｏｇｙ又は搬送波帯域幅の範囲がＵＥ自体にサポートされる範囲を超える場合、ＵＥは自体にサポートされるｎｕｍｅｒｏｌｏｇｙ又は搬送波帯域幅に対応するＵＥ処理時間を報告するだけでよい。
【００８２】
選択可能に、一つの実施例として、該指示メッセージは第二の情報を含むことができ、該第二の情報が最高ＵＥカテゴリ以下のＵＥカテゴリに対応するＵＥ処理時間を報告するようにＵＥに指示することに用いられる。ＵＥは該指示メッセージを受信した後に、ＵＥにサポートされるＵＥカテゴリから該最高ＵＥカテゴリ以下のＵＥカテゴリを確定し、そして最高ＵＥカテゴリ以下の該ＵＥカテゴリを該ターゲットＵＥカテゴリとして確定し、その後、処理時間情報を生成することができる。例えば、ネットワーク装置はＵＥ  ｃａｔｅｇｏｒｙ１〜ＵＥ  ｃａｔｅｇｏｒｙ  Ｎに対応する異なるＵＥ処理時間を報告するようにＵＥを配置することができる。例えば、ネットワーク装置が報告するように求められる最高ＵＥ  ｃａｔｅｇｏｒｙがＵＥ  ｃａｔｅｇｏｒｙ７である場合、ＵＥはＵＥ  ｃａｔｅｇｏｒｙ１〜ＵＥ  ｃａｔｅｇｏｒｙ  ７に対応する異なるＵＥ処理時間を報告する。
【００８３】
選択可能に、一つの実施例として、ターゲット基礎パラメータセットはＭ種類の基礎パラメータセットであってもよく、Ｍ種類の基礎パラメータセットにおけるターゲットＵＥカテゴリに対応するＵＥ処理時間を含むことができ、ここでＭ≧１とする。
【００８４】
説明すべきものとして、基礎パラメータセットは通信システム（例えばセルラーシステム）の最も基礎のパラメータを指すことができる。例えば、ＬＴＥシステム又は５Ｇシステムに対して、基礎パラメータセットはシステムのサブ搬送波間隔（ｓｕｂｃａｒｒｉｅｒ  ｓｐａｃｉｎｇ）、シンボル幅（ｓｙｍｂｏｌ  ｄｕｒａｔｉｏｎ）などを含むことができる。
【００８５】
本発明の実施例では、ＵＥは異なる基礎パラメータセットとターゲットＵＥカテゴリの組み合わせとして構成されるＵＥに対応するＵＥ処理時間を処理時間情報によって報告することができ、ネットワーク装置が処理時間情報に基づいてシステムスケジューリング又は他の操作を行うようにし、それによって通信性能を向上させる。
【００８６】
ここで、上記のＭ種類の基礎パラメータセットはＵＥにサポートされる全ての基礎パラメータセットであってもよいし、ＵＥにサポートされる部分の基礎パラメータセットであってもよい。
【００８７】
選択可能に、ネットワーク装置はＭ種類の基礎パラメータにおける各基礎パラメータセットのターゲットＵＥカテゴリに対応するＵＥ処理時間を報告するようにＵＥに指示することができる。該指示は指示メッセージに含まれてもよいし、他の情報に含まれてもよい。
【００８８】
例えば、ＵＥがネットワーク装置へＵＥ処理時間を報告する方式が表１に示され、ＵＥは表１に基づき、ネットワーク装置へ処理時間情報を送信することができる。ここで、表１はネットワーク装置によってＵＥに予め設定されたものであってもよい。例えば、ネットワーク装置は、ＵＥが報告することを望むｎｕｍｅｒｏｌｏｇｙとターゲットＵＥ  ｃａｔｅｇｏｒｙの組み合わせの範囲を指示情報によってＵＥに示すことができる。ＵＥはＵＥにサポートされる、ターゲット  ｃａｔｅｇｏｒｙにおける全てのｎｕｍｅｒｏｌｏｇｙに対応するＵＥ処理時間をネットワーク装置に報告することができ、ＵＥはＵＥにサポートされる、ターゲット  ｃａｔｅｇｏｒｙにおける部分のｎｕｍｅｒｏｌｏｇｙに対応するＵＥ処理時間をネットワーク装置に報告することもできる。
【００８９】
2019526957.tif 000003
選択可能に、一つの実施例として、ターゲット搬送波帯域幅はＮ種類の搬送波帯域幅であってもよく、該処理時間情報は該Ｎ種類の搬送波帯域幅における各搬送波帯域幅のターゲットＵＥカテゴリに対応するＵＥ処理時間を含むことができ、Ｎが１以上である。
【００９０】
ここで、上記のＮ種類の搬送波帯域幅はＵＥにサポートされる全ての搬送波帯域幅であってもよいし、ＵＥにサポートされる部分の搬送波帯域幅であってもよい。
【００９１】
選択可能に、ネットワーク装置はＮ種類の搬送波帯域幅における各搬送波帯域幅の、ネットワーク装置がＵＥが報告することを望むターゲットカテゴリに対応するＵＥ処理時間をＵＥに示すことができる。該指示は指示情報に含まれてもよいし、他の情報に含まれてもよい。
【００９２】
例えば、ＵＥは表２に基づき、ネットワーク装置へ処理時間情報を送信することができる。表２はネットワーク装置によってＵＥに予め設定されたものであってもよく、例えば、ネットワーク装置はＵＥが報告することを望む搬送波帯域幅とターゲットＵＥ  ｃａｔｅｇｏｒｙの組み合わせの範囲を指示情報によって示すことができる。
【００９３】
2019526957.tif 000004
例えば、ＵＥは表３に基づいてネットワーク装置へ処理時間情報を送信することができる。表３はネットワーク装置によってＵＥに予め設定されたものであってもよく、例えば、ネットワーク装置は、ＵＥが報告することを望む搬送波帯域幅、ｎｕｍｅｒｏｌｏｇｙ及びターゲットＵＥ  ｃａｔｅｏｒｙの組み合わせの範囲を指示情報によってＵＥに示すことができる。ここで、ＵＥはサポートされる各搬送波帯域幅の各ｎｕｍｅｒｏｌｏｇｙのターゲットＵＥ  ｃａｔｅｇｏｒｙに対応するＵＥのＵＥ処理時間をネットワーク装置に報告する。
【００９４】
2019526957.tif 000005
図３は本発明の実施例による通信方法３００の概略図である。該方法はネットワーク装置によって実行されてもよく、ここで、図３に示す方法３００における図２と同じ又は類似の内容について図２と関連する説明を参照でき、ここで説明を省略する。方法３００はＳ３０１とＳ３０２を含む。
【００９５】
Ｓ３０１において、ネットワーク装置はＵＥへ指示メッセージを送信し、前記指示メッセージが前記ＵＥにサポートされるＵＥ処理時間を報告するように前記ＵＥに指示することに用いられる。
【００９６】
Ｓ３０２において、前記ネットワーク装置は前記ＵＥから処理時間情報を受信し、前記処理時間情報が前記ＵＥにサポートされるＵＥ処理時間を示すことに用いられる。
【００９７】
本発明の実施例では、ネットワーク装置は処理時間情報をＵＥに報告し、該処理時間情報がＵＥにサポートされるターゲットパラメータに対応するＵＥ処理時間を示すことができ、ネットワーク装置が該処理時間情報に基づき、システムに対してスケジューリング又は他の操作を行うようにし、それによって通信性能を向上させる。
【００９８】
選択可能に、方法３００では、前記処理時間情報は前記ＵＥにサポートされる最小ＵＥ処理時間を含む。
【００９９】
選択可能に、方法３００では、前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報は前記ＵＥにサポートされる少なくとも一つＵＥ処理時間レベルを含む。
【０１００】
選択可能に、方法３００では、前記処理時間情報は前記ＵＥにサポートされる最小ＵＥ処理時間に対応するＵＥ処理時間レベルを含む。
【０１０１】
選択可能に、方法３００では、前記通信方法はさらに前記ネットワーク装置が前記ＵＥへ通知情報を送信し、前記通知情報が少なくとも一つのＵＥ処理時間レベルと少なくとも一つのＵＥ処理時間範囲との対応関係を示すことに用いられることを含む。
【０１０２】
選択可能に、方法３００では、前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間である。
【０１０３】
選択可能に、方法３００では、前記指示メッセージは第一の情報を含み、前記第一の情報が前記ターゲットパラメータに対応するＵＥ処理時間を報告するように前記ＵＥに指示することに用いられる。
【０１０４】
選択可能に、方法３００では、前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含む。
【０１０５】
選択可能に、方法３００では、前記指示メッセージは第二の情報を含み、前記第二の情報が最高ＵＥカテゴリ以下のＵＥカテゴリに対応するＵＥ処理時間を報告するように前記ＵＥに指示することに用いられる。
【０１０６】
選択可能に、方法３００では、前記ターゲットパラメータセットはＭ種類のパラメータセットであり、前記処理時間情報は前記Ｍ種類の基礎パラメータセットにおける各基礎パラメータセットの前記ターゲットＵＥカテゴリに対応するＵＥ処理時間を含む。
【０１０７】
選択可能に方法３００では、前記ターゲット搬送波帯域はＮ種類の搬送波帯域幅であり、前記処理時間情報は前記Ｎ種類の搬送波帯域幅における各搬送波帯域幅の前記ターゲットＵＥカテゴリに対応するＵＥ処理時間を含む。
【０１０８】
以上に図１〜図３を参照しながら本発明の実施例による通信方法を説明し、以下に図４〜図７を参照して本発明の実施例によるＵＥとネットワーク装置を詳細に説明する。
【０１０９】
図４は本発明の実施例によるＵＥの概略ブロック図である。図４に示すＵＥ４００は生成モジュール４１０と送信モジュール４２０を備える。
【０１１０】
生成モジュール４１０は、処理時間情報を生成するように構成され、前記処理時間情報が前記ＵＥにサポートされるＵＥ処理時間を示すことに用いられる。
【０１１１】
送信モジュール４２０はネットワーク装置へ前記処理時間情報を送信するように構成される。
【０１１２】
本発明の実施例では、ＵＥはネットワーク装置へ処理時間情報を報告し、該処理時間情報がＵＥにサポートされるＵＥ処理時間を示すことができ、ネットワーク装置が該処理時間情報に基づき、システムに対してスケジューリング又は他の操作を行うようにし、それによって通信性能を向上させる。
【０１１３】
選択可能に、前記処理時間情報は前記ＵＥにサポートされる最小ＵＥ処理時間を含む。
【０１１４】
選択可能に、前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報は前記ＵＥにサポートされる少なくとも一つのＵＥ処理時間レベルを含む。
【０１１５】
選択可能に、前記処理時間情報は前記ＵＥにサポートされる最小ＵＥ処理時間に対応するＵＥ処理時間レベルを含む。
【０１１６】
選択可能に、前記ＵＥはさらに、前記ネットワーク装置から送信された通知情報を受信するように構成され、前記通知情報が少なくとも一つのＵＥ処理時間レベルと少なくとも一つのＵＥ処理時間範囲との対応関係を示すことに用いられる受信モジュール４３０を備える。
【０１１７】
選択可能に、前記ＵＥはさらに、前記生成モジュールが処理時間情報を生成する前に、前記ネットワーク装置から指示メッセージを受信するように構成され、前記指示メッセージが前記ＵＥにサポートされるＵＥ処理時間を報告するように前記ＵＥに指示することに用いられる受信モジュール４３０を備える。
【０１１８】
選択可能に、前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間である。
【０１１９】
選択可能に、前記ＵＥはさらに、前記生成モジュール４１０が処理時間情報を生成する前に、前記ネットワーク装置から指示メッセージを受信するように構成され、前記指示メッセージが第一の情報を含み、前記第一の情報が前記ターゲットパラメータに対応するＵＥ処理時間を報告するように前記ＵＥに指示することに用いられる受信モジュール４３０を備える。
【０１２０】
選択可能に、前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含む。
【０１２１】
選択可能に、前記指示メッセージは第二の情報を含み、前記第二の情報が最高ＵＥカテゴリ以下のＵＥカテゴリに対応するＵＥ処理時間を報告するように前記ＵＥに指示することに用いられ、前記生成モジュールは具体的に前記ＵＥにサポートされるＵＥカテゴリから前記最高ＵＥカテゴリ以下のＵＥカテゴリを確定し、前記最高ＵＥカテゴリ以下の前記ＵＥカテゴリを前記ターゲットＵＥカテゴリとして確定し、前記ターゲットＵＥカテゴリに対応するＵＥ処理時間に基づき、前記処理時間情報を生成するように構成される。
【０１２２】
選択可能に、前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含む。
【０１２３】
選択可能に、前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含む。
【０１２４】
図５は本発明の実施例によるネットワーク装置の概略ブロック図である。図５に示すネットワーク装置５００は送信モジュール５１０と受信モジュール５２０を備える。
【０１２５】
送信モジュール５１０はＵＥへ指示メッセージを送信するように構成され、前記指示メッセージが前記ＵＥにサポートされるＵＥ処理時間を報告するように前記ＵＥに指示することに用いられる。
【０１２６】
受信モジュール５２０は前記ＵＥから処理時間情報を受信するように構成され、前記処理時間情報が前記ＵＥにサポートされるＵＥ処理時間を示すことに用いられる。
【０１２７】
本発明の実施例では、ネットワーク装置は処理時間情報を報告するようにＵＥに指示し、該処理時間情報がＵＥにサポートされるＵＥ処理時間を示すことができ、ネットワーク装置が該処理時間情報に基づき、システムに対してスケジューリング又は他の操作を行うようにし、それによって通信性能を向上させる。
【０１２８】
選択可能に、前記処理時間情報は前記ＵＥにサポートされる最小ＵＥ処理時間を含む。
【０１２９】
選択可能に、前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報が前記ＵＥにサポートされる少なくとも一つのＵＥ処理時間レベルを含む。
【０１３０】
選択可能に、前記処理時間情報は前記ＵＥにサポートされる最小ＵＥ処理時間に対応するＵＥ処理時間レベルを含む。
【０１３１】
選択可能に、前記送信モジュール５１０はさらに前記ネットワーク装置が前記ＵＥへ通知情報を送信するように構成され、前記通知情報が少なくとも一つのＵＥ処理時間レベルと少なくとも一つのＵＥ処理時間範囲との対応関係を示すことに用いられる。
【０１３２】
選択可能に、前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間である。
【０１３３】
選択可能に、前記指示メッセージは第一の情報を含み、前記第一の情報が前記ターゲットパラメータに対応するＵＥ処理時間を報告するように前記ＵＥに指示することに用いられる。
【０１３４】
選択可能に、前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含む。
【０１３５】
選択可能に、前記指示メッセージは第二の情報を含み、前記第二の情報が最高ＵＥカテゴリ以下のＵＥカテゴリに対応するＵＥ処理時間を報告するように前記ＵＥに指示することに用いられる。
【０１３６】
選択可能に、前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含む。
【０１３７】
選択可能に、前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含む。
【０１３８】
図６は本発明の実施例によるＵＥの概略ブロック図である。図６に示すＵＥ６００はメモリ６１０、送受信機６２０、プロセッサ６３０を備える。
【０１３９】
メモリ６１０はプログラムを記憶するように構成される。
【０１４０】
送受信機６２０は他の装置と通信するように構成される。
【０１４１】
プロセッサ６３０はメモリ６１０におけるプログラムを実行するように構成され、前記プログラムが実行される場合、前記プロセッサ６３０は処理時間情報を生成するように構成され、前記処理時間情報が前記ＵＥにサポートされるＵＥ処理時間を示すことに用いられ、及びプロセッサ６３０を介してネットワーク装置へ前記処理時間情報を送信する。
【０１４２】
本発明の実施例では、ＵＥはネットワーク装置へ処理時間情報を報告し、該処理時間情報がＵＥにサポートされるＵＥ処理時間を示すことができ、ネットワーク装置が該処理時間情報に基づき、システムに対してスケジューリング又は他の操作を行うようにし、それによって通信性能を向上させる。
【０１４３】
選択可能に、前記処理時間情報は前記ＵＥにサポートされる最小ＵＥ処理時間を含む。
【０１４４】
選択可能に、前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報が前記ＵＥにサポートされる少なくとも一つのＵＥ処理時間レベルを含む。
【０１４５】
選択可能に、前記処理時間情報は前記ＵＥにサポートされる最小ＵＥ処理時間に対応するＵＥ処理時間レベルを含む。
【０１４６】
選択可能に、前記プロセッサ６３０はさらに前記送受信機６２０を介して前記ネットワーク装置から送信された通知情報を受信するように構成され、前記通知情報が少なくとも一つのＵＥ処理時間レベルと少なくとも一つのＵＥ処理時間範囲との対応関係を示すことに用いられる。
【０１４７】
選択可能に、前記プロセッサ６３０はさらに前記送受信機６２０により処理時間情報を生成する前に、前記ネットワーク装置から指示メッセージを受信するように構成され、前記指示メッセージが前記ＵＥにサポートされるＵＥ処理時間を報告するように前記ＵＥに指示することに用いられる。
【０１４８】
選択可能に、前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間である。
【０１４９】
選択可能に、前記プロセッサ６３０はさらに前記送受信機６２０により処理時間情報を生成する前に、前記ネットワーク装置から指示メッセージを受信するように構成され、前記指示メッセージが第一の情報を含み、前記第一の情報が前記ターゲットパラメータに対応するＵＥ処理時間を報告するように前記ＵＥに指示することに用いられる。
【０１５０】
選択可能に、前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含む。
【０１５１】
選択可能に、前記指示メッセージは第二の情報を含み、前記第二の情報が最高ＵＥカテゴリ以下のＵＥカテゴリに対応するＵＥ処理時間を報告するように前記ＵＥに指示することに用いられ、前記ＵＥが処理時間情報を生成することは、前記ＵＥが前記ＵＥにサポートされるＵＥカテゴリから前記最高ＵＥカテゴリ以下のＵＥカテゴリを確定することと、前記ＵＥが前記最高ＵＥカテゴリ以下の前記ＵＥカテゴリを前記ターゲットＵＥカテゴリとして確定することと、前記ＵＥが前記ターゲットＵＥカテゴリに対応するＵＥ処理時間に基づき、前記処理時間情報を生成することとを含む。
【０１５２】
選択可能に、前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含む。
【０１５３】
選択可能に、前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含む。
【０１５４】
図７は本発明の実施例によるネットワーク装置の概略ブロック図である。図７に示すネットワーク装置７００は、メモリ７１０、送受信機７２０、プロセッサ７３０を備える。
【０１５５】
メモリ７１０はプログラムを記憶するように構成される。
【０１５６】
送受信機７２０は他の装置と通信するように構成される。
【０１５７】
プロセッサ７３０はメモリ７１０におけるプログラムを実行するように構成され、前記プログラムが実行される場合、前記プロセッサ７３０は前記送受信機７２０を介してＵＥへ指示メッセージを送信するように構成され、前記指示メッセージが前記ＵＥにサポートされるＵＥ処理時間を報告するように前記ＵＥに指示することに用いられ、及び前記送受信機７２０を介して前記ＵＥから処理時間情報を受信するように構成され、前記処理時間情報が前記ＵＥにサポートされるＵＥ処理時間を示すことに用いられる。
【０１５８】
本発明の実施例では、ネットワーク装置は処理時間情報を報告するようにＵＥに指示し、該処理時間情報がＵＥにサポートされるＵＥ処理時間を示すことができ、ネットワーク装置が該処理時間情報に基づき、システムに対してスケジューリング又は他の操作を行うようにし、それによって通信性能を向上させる。
【０１５９】
選択可能に、前記処理時間情報は前記ＵＥにサポートされる最小ＵＥ処理時間を含む。
【０１６０】
選択可能に、前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報が前記ＵＥにサポートされる少なくとも一つのＵＥ処理時間レベルを含む。
【０１６１】
選択可能に、前記処理時間情報は前記ＵＥにサポートされる最小ＵＥ処理時間に対応するＵＥ処理時間レベルを含む。
【０１６２】
選択可能に、前記プロセッサ７３０はさらに前記送受信機７２０を介して前記ＵＥへ通知情報を送信するように構成され、前記通知情報が少なくとも一つのＵＥ処理時間レベルと少なくとも一つのＵＥ処理時間範囲との対応関係を示すことに用いられる。
【０１６３】
選択可能に、前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間である。
【０１６４】
選択可能に、前記指示メッセージは第一の情報を含み、前記第一の情報が前記ターゲットパラメータに対応するＵＥ処理時間を報告するように前記ＵＥに指示することに用いられる。
【０１６５】
選択可能に、前記処理時間情報はターゲットパラメータ組み合わせに対応するＵＥ処理時間を含み、前記ターゲットパラメータ組み合わせが前記ターゲットＵＥカテゴリ、前記ターゲット基礎パラメータセット、前記ターゲット搬送波帯域幅のうちの少なくとも二つを含む。
【０１６６】
選択可能に、前記指示メッセージは第二の情報を含み、前記第二の情報が最高ＵＥカテゴリ以下のＵＥカテゴリに対応するＵＥ処理時間を報告するように前記ＵＥに指示することに用いられる。
【０１６７】
選択可能に、前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含む。
【０１６８】
選択可能に、前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含む。
【０１６９】
また、本明細書では用語「システム」と「ネットワーク」は本明細書で常に交換可能に使用される。本明細書では用語「及び／又は」は、関連するオブジェクトの関連関係を記述するためのものに過ぎず、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１７０】
本発明の様々な実施例では、上記の各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０１７１】
理解すべきものとして、本発明の実施例におけるプロセッサは信号処理機能を備える集積回路チップであってもよい。実現プロセスにおいて、上記方法の実施例における各ステップはプロセッサにおけるハードウェアの集積論理回路又はソフトウェア形態の命令により完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本発明の実施例において開示される各方法、ステップ及び論理ブロック図を実現又は実行することができる。汎用プロセッサはマイクロプロセッサであってもよい又は該プロセッサはいずれかの従来のプロセッサなどであってもよい。本発明の実施例と組み合わせて開示される方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサはメモリにおける情報を読み取り、そのハードウェアと組み合わせて上記方法のステップを完了する。
【０１７２】
本発明の実施例におけるメモリは揮発性記憶装置又は不揮発性記憶装置であってもよく、又は揮発性記憶装置及び不揮発性記憶装置両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（
ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０１７３】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１７４】
当業者は便利且つ簡潔に説明するために、上述したシステム、装置とユニットの具体的な動作プロセスについて上記方法の実施例における対応するプロセスを参照できることを明確に理解することができ、ここでは説明を省略する。
【０１７５】
本出願が提供するいくつかの実施例では、開示されるシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時に他の区分方式もあり得て、例えば複数のユニット又は部材は組み合わせられてもよく、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１７６】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１７７】
また、本発明の各実施例における各機能ユニットは一つの処理ユニットに統合されてもよく、個々のユニットは単独で物理的に存在してもよく、２つ又は２つ以上のユニットは一つのユニットに統合されてもよい。
【０１７８】
前記機能はソフトウェア機能ユニットの形態で実現され且つ独立した製品として販売又は使用される場合、一つのコンピュータ可読記憶媒体に格納されてもよい。このような理解に基づき、本出願の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１７９】
以上は、本発明の具体的な実施形態に関し、本発明の保護範囲はこれに制限されず、当業者が本発明に開示された技術範囲内で容易に想到し得る変化又は入れ替わりが全て本発明の保護範囲内に含まれるべきである。したがって、本発明の保護範囲は特許請求の範囲によって準拠するべきである。
【図１】
2019526957.tif 000006
【図２】
2019526957.tif 000007
【図３】
2019526957.tif 000008
【図４】
2019526957.tif 000009
【図５】
2019526957.tif 000010
【図６】
2019526957.tif 000011
【図７】
2019526957.tif 000012
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
通信方法であって、
ユーザ装置（ＵＥ）が処理時間情報を生成し、前記処理時間情報が前記ＵＥにサポートされるＵＥ処理時間を示すことに用いられることと、
前記ＵＥがネットワーク装置へ前記処理時間情報を送信することとを含む、前記通信方法。
【請求項２】
前記処理時間情報は前記ＵＥにサポートされる最小ＵＥ処理時間を含むことを特徴とする
請求項１に記載の通信方法。
【請求項３】
前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報は前記ＵＥにサポートされる少なくとも一つのＵＥ処理時間レベルを含むことを特徴とする
請求項１又は２に記載の通信方法。
【請求項４】
前記処理時間情報は前記ＵＥにサポートされる最小ＵＥ処理時間に対応するＵＥ処理時間レベルを含むことを特徴とする
請求項３に記載の通信方法。
【請求項５】
前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間であることを特徴とする
請求項１に記載の通信方法。
【請求項６】
前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含むことを特徴とする
請求項５に記載の通信方法。
【請求項７】
前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含むことを特徴とする
請求項５又は６に記載の通信方法。
【請求項８】
ＵＥ処理時間は、ＵＥがネットワーク装置からのアップリンクスケジューリング命令を受信した後に、アップリンクデータ送信を準備する時間であることを特徴とする、
請求項１乃至７のいずれか一項に記載の通信方法。
【請求項９】
基礎パラメータセットはシステムのサブ搬送波間隔（ｓｕｂｃａｒｒｉｅｒ  ｓｐａｃｉｎｇ）を含むことを特徴とする、
請求項５乃至７のいずれか一項に記載の通信方法。
【請求項１０】
ＵＥであって、
処理時間情報を生成するように構成され、前記処理時間情報が前記ＵＥにサポートされるＵＥ処理時間を示すことに用いられる生成モジュールと、
ネットワーク装置へ前記処理時間情報を送信するように構成される送信モジュールとを備える、前記ＵＥ。
【請求項１１】
前記処理時間情報は前記ＵＥにサポートされる最小ＵＥ処理時間を含むことを特徴とする
請求項１０に記載のＵＥ。
【請求項１２】
前記ＵＥは少なくとも一つのＵＥ処理時間レベルをサポートし、前記少なくとも一つのＵＥ処理時間レベルが少なくとも一つのＵＥ処理時間範囲と対応関係を有し、前記処理時間情報は前記ＵＥにサポートされる少なくとも一つのＵＥ処理時間レベルを含むことを特徴とする
請求項１０又は１１に記載のＵＥ。
【請求項１３】
前記処理時間情報は前記ＵＥにサポートされる最小ＵＥ処理時間に対応するＵＥ処理時間レベルを含むことを特徴とする
請求項１２に記載のＵＥ。
【請求項１４】
前記処理時間情報はターゲットパラメータに対応するＵＥ処理時間を含み、前記ターゲットパラメータがターゲットＵＥカテゴリ、ターゲット基礎パラメータセット、ターゲット搬送波帯域幅のうちの少なくとも一つであり、前記ＵＥ処理時間が前記ターゲットパラメータを設定した場合の前記ＵＥがデータを処理するために必要な時間であることを特徴とする
請求項１０に記載のＵＥ。
【請求項１５】
前記ターゲット基礎パラメータセットはＭ種類の基礎パラメータセットであり、前記処理時間情報は前記Ｍ種類の基礎パラメータセットにおける各基礎パラメータセットにおける前記ターゲットＵＥカテゴリに対応するＵＥ処理時間を含むことを特徴とする
請求項１４に記載のＵＥ。
【請求項１６】
前記ターゲット搬送波帯域幅はＮ種類の搬送波帯域幅であり、前記処理時間情報は前記Ｎ種類の搬送波帯域幅における各搬送波帯域幅における前記ターゲットＵＥカテゴリに対応するＵＥ処理時間を含むことを特徴とする
請求項１４又は１５に記載のＵＥ。
【請求項１７】
ＵＥ処理時間は、ＵＥがネットワーク装置からのアップリンクスケジューリング命令を受信した後に、アップリンクデータ送信を準備する時間であることを特徴とする、
請求項１０乃至１６のいずれか一項に記載のＵＥ。
【請求項１８】
基礎パラメータセットはシステムのサブ搬送波間隔（ｓｕｂｃａｒｒｉｅｒ  ｓｐａｃｉｎｇ）を含むことを特徴とする、
請求項１４乃至１７のいずれか一項に記載の通信方法。
【国際調査報告】
2019526957.tif 000013
2019526957.tif 000014
2019526957.tif 000015
2019526957.tif 000016